(57)【要約】【課題】簡単且つ低コストで製造することができる手段を採用して製造することができる視野制限フィルムを提供する。【解決手段】液晶画面７の前面に付着することによって斜め方向からの可視範囲を調整するようにした視野制限フィルム１であって、透明フィルム２の表面にシリカ粉末３を混入したインク層４をスクリーン印刷によって形成すると共に、前記透明フィルム２の裏面に再剥離性を有する自己粘着性の接着層５を形成して該接着層５によって前記液晶画面７に着脱自在に付着するようにしたものである。【選択図】図２
2005062208.tif 000002
【特許請求の範囲】
【請求項１】
液晶画面の前面に付着することによって斜め方向からの可視範囲を調整するようにした視野制限フィルムであって、透明フィルムの表面にシリカ粉末を混入したインク層をスクリーン印刷によって形成すると共に、前記透明フィルムの裏面に接着層を形成して該接着層によって前記液晶画面に着脱自在に付着するようにしたことを特徴とする視野制限フィルム。
【請求項２】
前記インク層が二層に形成されることによって下側のインク層の表面の荒れを上側のインク層で滑らかな表面にしたことを特徴とする請求項１記載の視野制限フィルム。
【請求項３】
前記インク層に混入したシリカ粉末の粒子径は０．３μｍ〜１μｍであることを特徴とする請求項１又は２記載の視野制限フィルム。
【請求項４】
前記インク層に混入したシリカ粉末は重量比で４％であることを特徴とする請求項１、２又は３記載の視野制限フィルム。
【請求項５】
前記インク層を二層に形成した場合のインク層の合計厚さは、３５μｍ〜５０μｍであることを特徴とする請求項１、２、３又は４記載の視野制限フィルム。
【請求項６】
前記接着層は自己粘着性を有し且つ再剥離性を有することを特徴とする請求項１、２、３、４又は５記載の視野制限フィルム。
【請求項７】
前記接着層の下面に剥離紙を付設したことを特徴とする請求項１、２、３、４、５又は６記載の視野制限フィルム。
【請求項８】
前記透明フィルムの表面にシリカ粉末を混入したインク層を前記スクリーン印刷以外の印刷又はローラコーティングによって３５μｍ〜５０μｍの合計厚さに形成するようにしたことを特徴とする請求項１、２、３、４、５、６又は７記載の視野制限フィルム。
【発明の詳細な説明】
【０００１】
【発明の属する技術分野】
本発明は、携帯電話等の液晶画面の前面に付着することにより斜め方向からの覗き見を防止するようにした視野制限フィルムに関するものである。
【０００２】
【従来の技術】
近年、液晶画面を備えた電子表示装置は、携帯電話、パソコン、ワープロ、ファクシミリ等のＯＡ機器、さらにはキャッシュディスペンサー、ＡＴＭ、ゲーム機、テレビ等、広い分野で使用されているが、これらの装置において、斜め方向からの覗き見を防止する必要がある場合、液晶画面に対する側方からの視野を制限するようにした視野制限フィルムを付着することが行なわれている。
【０００３】
このような視野制限フィルムの従来例として特許文献１の発明を例示すると、この発明は、図４（ａ）、（ｂ）に示す表示窓用透明ホログラムである。その構造は、特許文献１における特許請求の範囲の請求項１に記載されているように、「略正面から見ると背後に位置する表示パターンＤが直通して見え、その略正面に対して斜め方向から見ると、周囲の外光が回折されて記録パターンが見え、背後の表示パターンＤが実質的に見えないことを特徴とする表示窓用透明ホログラム」である。
【０００４】
また、この特許文献１の発明は、レリーフ型透明反射ホログラムの場合、図４（ａ）に示す断面構造となることが、特許文献１の明細書の段落［００１１］に記載されている。即ち、「…透明なレリーフ型ホログラム形成層２１のホログラムの干渉縞パターンに対応する凹凸レリーフ面２２上に、レリーフ型ホログラム形成層２１と屈折率の異なる透明材料からなる透明薄膜層、誘電体多層膜、あるいは半透明になる薄い金属反射膜からなる透明反射膜２３を蒸着の手法で設けてレリーフ型透明反射ホログラム２０とする。」
【０００５】
また、同じく特許文献１の明細書の段落［００１１］に、体積型ホログラム２５の場合は、図４（ｂ）に断面を示すように、そのような反射膜を設ける必要はないことが記載されている。
【０００６】
このようなレリーフ型透明反射ホログラムによれば、特許文献１の明細書の段落［００１３］に記載されているように、略正面から見た使用者の眼Ｅには表示内容が見え、周囲の者の眼Ｅ’にはホログラム２０、２５の記録画像が見えるため、アイキャッチ性と共に表示情報の覗き見防止になるというものである。
【０００７】
さらに、特許文献２に記載の発明として、図５に示す表示画面用光学フィルター３０を例示してある。その構造は、特許文献２における特許請求の範囲の請求項２に記載されているように、「ディスプレイの表示画面４０の前面に取付けて可視範囲をコントロールするための表示画面用光学フィルター３０であり、高分子材料からなるレンズフィルム３１と該レンズフィルム３１を上記の表示画面４０の前面に着脱自在に固定するための取付け手段（自己粘着層３３）とを備えていることを特徴とする」ものである。
【０００８】
このような表示画面用光学フィルター３０の効果としては、特許文献２の明細書の段落［０００７］に、「上記の光学フィルターをその取付け手段によって任意のディスプレイの表示画面に取付けると、表示画面の画像がはっきりと見える。また、画像を見る角度を正面から横へずらしていくと、レンズフィルムのレンズ効果によって画像の視認性が次第に低下し、ある角度を越えると画像の内容が不明になる。すなわち、横からの覗き見を防ぐことができる。そして、表示画面に取付けた光学フィルターは、必要に応じて外すことができる。」と記載されている。
【０００９】
さらに、特許文献２の明細書の段落［０００８］に、上記のレンズフィルムは、その表面構造によってレンズ機能を発現することが可能なものであれば、その表現構造や材質は任意であることが記載されている。そのような表面構造の例としては、図５に示すように、合成樹脂フィルムの片面に角錐形状、凸レンズ形状もしくはフレネルレンズ形の凸部や凹部の多数個を縦横に並べて形成した突状構造等を例としてあげることができることが記載されている。なお、図５に示す表示画面用光学フィルター３０は、基材フィルム３２のレンズフィルム３１に断面三角形の直線突条３１ａが形成されているものである。
【００１０】
【特許文献１】
特開平１１−１３３２３３号公報（第２頁、図１）
【特許文献２】
特開２００２−２０２４０５号公報（第２頁、図２）
【００１１】
【発明が解決しようとする課題】
ところで、上記した特許文献１の表示窓用透明ホログラムは、ホログラム記録感光材料を用いて、これに表示する模様等が書かれている表示体を配置し、この表示体に照明光を照射してホログラム記録感光材料に入射する物体光を得るというような面倒な撮影操作が必要となる。
【００１２】
また、特許文献２の表示画面用光学フィルターは、高分子材料製フィルムの表面にレンズ機能を有する表現構造が必要となり、そのための成形加工を必要とする等の製作上の面倒さを有するものである。
【００１３】
本発明は、上記の従来技術のようにホログラム記録感光材料に対する撮影操作やフィルムの表面に成形加工を施したりするという面倒な製作工程を必要とせずに、簡単且つ低コストで製造することができる手段を採用して製造することができる視野制限フィルムを提供することを目的とする。
【００１４】
【課題を解決するための手段】
上記の目的を達成するために、本発明の請求項１の視野制限フィルムは、液晶画面の前面に付着することによって斜め方向からの可視範囲を調整するようにした視野制限フィルムであって、透明フィルムの表面にシリカ粉末を混入したインク層をスクリーン印刷によって形成すると共に、前記透明フィルムの裏面に再剥離性を有する自己粘着性の接着層を形成して該接着層によって前記液晶画面に着脱自在に付着するようにしたことを特徴とする。
【００１５】
また、本発明における請求項２の視野制限フィルムは、請求項１において、前記インク層が二層に形成されることによって下側のインク層の表面の荒れを上側のインク層で滑らかな表面にしたことを特徴とする。
【００１６】
また、本発明における請求項３の視野制限フィルムは、請求項１又は２において、前記インク層に混入したシリカ粉末の粒子径は０．３μｍ〜１μｍであることを特徴とする。
【００１７】
また、本発明における請求項４の視野制限フィルムは、請求項１、２又は３において、前記インク層に混入したシリカ粉末は重量比で４％であることを特徴とする。
【００１８】
また、本発明における請求項５の視野制限フィルムは、請求項１、２、３又は４において、前記インク層を二層に形成した場合のインク層の合計厚さは、３５μｍ〜５０μｍであることを特徴とする。
【００１９】
また、本発明における請求項６の視野制限フィルムは、請求項１、２、３、４又は５において、前記接着層は自己粘着性を有し且つ再剥離性を有することを特徴とする。
【００２０】
また、本発明における請求項７の視野制限フィルムは、請求項１、２、３、４、５又は６において、前記接着層の下面に剥離紙を付設したことを特徴とする。
【００２１】
さらに、本発明における請求項８の視野制限フィルムは、請求項１、２、３、４、５、６又は７において、前記透明フィルムの表面にシリカ粉末を混入したインク層を前記スクリーン印刷以外の印刷又はローラコーティングによって３５μｍ〜５０μｍの合計厚さに形成するようにしたことを特徴とする。
【００２２】
【発明の実施の形態】
以下、本発明の実施例について図面を参照しながら説明する。
【００２３】
本発明による視野制限フィルムは、図２に示すように、液晶画面７の前面に付着することによって斜め方向からの可視範囲を調整するようにした視野制限フィルム１であって、図１に示すように、透明フィルム２の表面にシリカ粉末３を混入したインク層４をスクリーン印刷によって形成すると共に、透明フィルム２の裏面に接着層５を形成して該接着層５によって液晶画面７に着脱自在に付着するようにしたものである。
【００２４】
なお、本発明者は、上記のようにスクリーン印刷によるインク層を形成することによって本発明の視野制限フィルムを構成する以前、偏光フィルタを利用したフィルム、インク層にマット剤を混入したフィルム等、種々の実験を経て、本発明に到ったものである。なお、偏光フィルタを利用したフィルムやインク層にマット剤を混入したフィルムを液晶画面に付着すると、斜め方向だけではなく、正面からも文字等が判別し難く、本発明への採用に到らなかったものである。
【００２５】
そこで、上記の本発明における視野制限フィルムについて詳細に述べると、透明フィルム２としては、合成樹脂フィルム、例えばポリエステル製による透明フィルムを使用する。
【００２６】
図１に示すように、この透明フィルム２の表面にシリカ粉末３を混入したインク層４をスクリーン印刷によって形成する。その際、下側のインク層４ａを形成した後、上側のインク層４ｂを形成する。このように二度塗りすることによって、下側のインク層４ａの表面の荒れを上側のインク層４ｂで解消して該上側のインク層４ｂの表面を円滑にすることができる。また、このようにインク層４を二層に分けて形成することによって、インク層４の合計厚さが出し易くなる。
【００２７】
本発明においては、種々のインクを使用して試作を行なったが、ウレタンアクリレート系のインクによって好結果を得ることができた。ただし、このインク層を形成するのに使用するインクとしては、紫外線照射型厚盛インクであって、透視性を有するものなら使用可能である。
【００２８】
なお、このようなインクに、透視性を有する程度に種々の着色を施すことによって、カラーフィルムを構成することができ、携帯電話等の液晶画面に付着した場合の意匠性を配慮したものを得ることが可能となる。
【００２９】
また、本発明において、上記のインク層に混入したシリカ（二酸化ケイ素）粉末の粒子径が０．３μｍ〜１μｍであるのが好ましい。また、上記のインク層に混入したシリカ粉末は重量比で４％であるのが好ましい。
【００３０】
さらに、上記のようにインク層を二層に形成した場合のインク層の合計厚さを３５μｍ〜５０μｍに形成するのが好ましい。本実施例においては、スクリーン印刷の版に用いるスクリーン（紗）は３６０メッシュを使用し、スキージの硬度は８０°のものを用いた。そして、上記のシリカ粉末を混入したインクを上記のスクリーンを有する刷版上に供給した後、上記のスキージでインクを加圧摺動させることにより、透明フィルムの表面にインクを落とし、このインクを二層に形成することによって合計厚さを３５μｍ〜５０μｍに調整する。
【００３１】
なお、上記のようにインク層の厚さに幅があるのは、機器の種別によって液晶画面の明るさが相違することに基づくものである。例えば、携帯電話８の液晶画面７に用いてあるバックライトは比較的暗い部類に入るもので、この場合には、インク層の厚さを３５μｍ〜４０μｍの薄いものとして光が透過し易くするとよい。また、ノートパソコン９の液晶画面７に用いてあるバックライトは比較的明るい部類に入るもので、この場合には、インク層の厚さを５０μｍの厚いものとすることも可能である。
【００３２】
いずれにしても、本発明の視野制限フィルム１によれば、図３に示すように（この図においてＥは使用者の視線）、フィルム１の正面からの視野Ｓ１は約９０°の範囲で液晶画面７の表示内容が良好に視認でき、またその周囲の斜め後方の左右の視野Ｓ２、Ｓ２においては、約４５°の角度で斜め方向からの視認が不可能になることが実験によって確認されている。
【００３３】
なお、本発明の視野制限フィルム１によれば、インク層の厚さが厚いほど、又はシリカ粉末の粒子径が大きいほど、さらにはシリカ粉末の重量比が大きいほどインク層４中におけるシリカ粉末３の密度が高くなり、斜め方向からの視野を阻止する度合いが高くなるものであるが、これらの条件は正面から見た場合の見え具合にも影響するため、それらを考慮して決めるべきである。
【００３４】
また、本発明においては、透明フィルム２の裏面に接着層５を設けてあり、本実施例において、この接着層５は自己粘着性を有し且つ再剥離性を有するものを使用して、液晶画面に対する張り替えを可能としている。そのような接着層５の例としては、周知のゴム、エラストマーまたはプラストマーからなる自己粘着層を構成する柔軟性ポリマーを使用すると良い。
【００３５】
さらに、図１に示すように、本発明の視野制限フィルム１の接着層５の下面に剥離紙６を付設すれば、使用者は、図３に示すように、広く形成してある視野制限フィルム１を購入して、例えば携帯電話８の液晶画面７やノートパソコン９の液晶画面７の所定の大きさに応じて切断（カット線１０）し、この切断した視野制限フィルム１を大きさに応じて携帯電話用フィルム１ａ或いはノートパソコン用フィルム１ｂとして形成し、夫々のフィルムから剥離紙６（図１参照）を剥して、所定の液晶画面７に粘着層５によって貼り付けることができる。
【００３６】
このように貼り付けたフィルムは、接着層として自己粘着性を有し且つ再剥離性を有するものを使用しているため、容易に張り替えることが可能である。
【００３７】
本発明において、透明フィルムの表面にシリカ粉末を混入したインク層を形成するには、上記のスクリーン印刷を用いる他に、オフセット印刷、グラビア印刷等のスクリーン印刷以外の印刷によって形成することも可能である。このような印刷においても、上記のインク層を用いて粒子径０．３μｍ〜１μｍのシリカ粉末を重量比で４％混入した層を合計厚さが３５μｍ〜５０μｍとなるように形成する。
【００３８】
ただし、一回の印刷で得られるインク層の厚さは、オフセット印刷又はグラビア印刷の場合には３μｍ前後の厚さであるため、印刷を複数回繰り返して所定の合計厚さにする必要がある。
【００３９】
さらに、本発明においては、透明フィルムの表面に、図１に示すインク層４をスクリーン印刷の他にローラコーティングによって形成することも可能であり、この場合インク層として透明なアクリル系又はウレタン系樹脂を用いて粒子径０．３μｍ〜１μｍのシリカ粉末を重量比で４％混入した層を合計厚さが３５μｍ〜５０μｍとなるように形成する。また、このローラコーティングを用いた場合一回で形成される厚さは、２〜６μｍであるため、複数回のローラコーティングを繰り返して所定の合計厚さにする必要がある。
【００４０】
【発明の効果】
以上説明したように、本発明の視野制限フィルムは、透明フィルムの表面にシリカ粉末を混入したインク層をスクリーン印刷によって形成すると共に、透明フィルムの裏面に接着層を形成して該接着層によって液晶画面に着脱自在に付着するようにしてあるため、従来技術のようにホログラム記録感光材料に対する撮影操作や高分子材料製フィルムの表面に成形加工を施したりするという面倒な製作工程を必要とせずに、簡単且つ低コストで製造することができる。
【００４１】
ただし、本発明においては、スクリーン印刷以外の印刷を用いて透明フィルムの表面にシリカ粉末を混入したインク層を形成することも可能であり、また透明なアクリル系又はウレタン系樹脂を用いてこれに所定のシリカ粉末を混入したローラコーティングによって形成することも可能である。
【００４２】
このような本発明の視野制限フィルムを液晶画面に付着しておけば、インク層に混入してあるシリカ粉末によって、液晶画面の正面付近の所定角度内では画面の表示を良く見ることができるが、液晶画面に対する斜め方向からの視野を制限して見えなくすることができるため、覗き見防止用のフィルタとしての使用が可能となる。
【００４３】
本発明の視野制限フィルムによれば、インク層に混入したシリカ粉末によって反射防止の効果を有し、さらには液晶画面の表面を保護してキズの発生を防止することができる。
【００４４】
また、インク層に視野の妨げとならない程度のカラー着色を施すことによって、意匠性に富んだカラーフィルターとしての使用が可能となる。
【００４５】
さらに、本発明の視野制限フィルムによれば、使用者が所定の面積に切断することによって容易に所定の液晶画面に貼り付けることができるため、携帯電話、パソコン、ワープロ、ファクシミリ等のＯＡ機器、さらにはキャッシュディスペンサー、ＡＴＭ、ゲーム機、テレビ等の広い分野で使用し、夫々の分野で斜め方向からの覗き見を防止する視野制限フィルムとして使用することができる。
【図面の簡単な説明】
【図１】本発明による視野制限フィルムの構成を示す断面図である。
【図２】本発明による視野制限フィルムを液晶画面に付着した場合の断面図であり、その視野角を示す。
【図３】本発明による視野制限フィルムを所定の大きさに切断して携帯電話やノートパソコンの液晶画面に付着する状況を示す図である。
【図４】（ａ）及び（ｂ）は、従来の表示窓用透明ホログラムに関する断面図である。
【図５】従来の表示画面用光学フィルターを表示画面に貼り付けた状況を示す斜視図である。
【符号の説明】
１…視野制限フィルム
２…透明フィルム
３…シリカ粉末
４…インク層
４ａ…下側のインク層
４ｂ…上側のインク層
５…接着層
６…剥離紙
７…液晶画面
８…携帯電話
９…ノートパソコン
１０…カット線
Ｅ…視線
【図１】
2005062208.tif 000003
【図２】
2005062208.tif 000004
【図３】
2005062208.tif 000005
【図４】
2005062208.tif 000006
【図５】
2005062208.tif 000007